(57)【特許請求の範囲】
【請求項１】
後端部に背もたれ部（２）が連結された支持ベース部（３）と、該支持ベース部（３）に支持されて上面が臀部を載せる座面（４ａ）となるクッション部（４）を備えた座部（１）が設けられ、前記クッション部（４）は、前記支持ベース部（３）との間に中空部（６）を形成するように支持ベース部（３）に支持される釣り用座布団。
【請求項２】
支持ベース部（３）の前端部には上方に向けて鍔部（５）が突設され、該鍔部（５）によってクッション部（４）が支持ベース部（３）に傾斜状態に支持される請求項１記載の釣り用座布団。
【請求項３】
クッション部（４）が略板状に形成されている請求項２記載の釣り用座布団。
【請求項４】
クッション部（４）はその前端部が鍔部（５）にヒンジ連結され、背もたれ部（２）はその下端部が支持ベース部（３）の後端部にヒンジ連結されており、背もたれ部（２）がクッション部（４）と支持ベース部（３）との間に格納される請求項２記載の釣り用座布団。
【発明の詳細な説明】
【０００１】
【発明の属する技術分野】
本発明は釣りに際して釣り場に敷かれて使用される釣り用座布団に関する。
【０００２】
【従来の技術及び発明が解決しようとする課題】
従来、長時間座った状態で釣りを行う場合には、地面にクッションとして座布団を敷き、その上に胡座を組んで座っていた。
該釣り用の座布団としては、例えば、特開平１０−２１１０６０号公報所載のものが公知である。
【０００３】
該構成は、臀部を載せる座部と、該座部より薄く形成された足を載せる足支持部とから構成されたものである。そして、座部は上下二段に構成されて上方側を足支持部に向けて前方側に折り返すと、足支持部と座部との高さが面一となって正座用となり、上方側を元に戻すと胡座用となる。
【０００４】
このように、正座用と胡座用の二通りの状態で使用できるので長時間の使用に適している。
【０００５】
しかるに、釣り場は、一般にはフラットではなくて凹凸があったり、傾斜していたりするため、必ずしも良い姿勢で座れるとは限らず、その結果、疲労が蓄積しやすい。疲労蓄積の防止策として上述のように正座と胡座とを組み替えて疲れにくくするという考え方もあるが、その都度釣りが中断され、釣りに集中しにくい。
【０００６】
そこで本発明は、上記従来の問題点に鑑みてなされたもので、長時間同じ姿勢で座っていても疲れにくい釣り用座布団を提供することを課題とする。
【０００７】
【課題を解決するための手段】
本発明は、上記課題を解決すべくなされたものであり、本発明に係る釣り用座布団は、臀部を載せるクッション性の座部を有している釣り用座布団であって、座部の後端部に背もたれ部を備えていることを特徴とする。
【０００８】
該構成では、背もたれ部にもたれて楽な姿勢で釣りを行うことができ、特に、待つ時間の長い釣りに適している。しかも、例えば、魚のあたりを待っている間は後方側に重心をかけることができるので、水面のある前方へ不用意に倒れ込むことも抑制される。
【０００９】
また、背もたれ部が座部にヒンジ連結されて折り畳み可能に構成されていることが好ましく、これにより携帯性に優れる。
【００１０】
また、座部の座面が後方側に向けて下方に傾斜していることが好ましく、これにより、過度の前傾姿勢が抑制され、前方の水面への落下等が抑制される。
【００１１】
また、座部に中空部が設けられていることが好ましい。座部に中空部を設けることで座部の軽量化が図れ、中空部の断熱性も利用できる。
【００１２】
本発明は、後端部に背もたれ部が連結された支持ベース部と、該支持ベース部に支持されて上面が臀部を載せる座面となるクッション部を備えた座部が設けられ、前記クッション部は、前記支持ベース部との間に中空部を形成するように支持ベース部に支持されることを特徴とする。該構成では、クッション部の下方に中空部が位置するので、座部のクッション性が高まり臀部が安定化する。
【００１３】
更に、支持ベース部の前端部には上方に向けて鍔部が突設され、該鍔部によってクッション部が支持ベース部に傾斜状態に支持されることが好ましい。クッション部の前端部が鍔部で持ち上げられる状態となるので、濡れていることの多い前方側の地面とクッション部との接触が抑制され、クッション部が濡れにくくなる。従って、クッション部の表面に吸水性のある素材を用いることが可能となり、汗が吸収されて臀部の蒸れが抑制される。
【００１４】
また、クッション部が略板状に形成されていることが好ましく、これにより、座面が後方に傾斜することとなり、過度の前傾姿勢が抑制され、前方の水面への落下等が抑制される。
【００１５】
また、クッション部はその前端部が鍔部にヒンジ連結され、背もたれ部はその下端部が支持ベース部の後端部にヒンジ連結されており、背もたれ部がクッション部と支持ベース部との間に格納されることが好ましい。このように鍔部の突出を利用してクッション部と支持ベース部との間に背もたれ部を格納することでコンパクトに携帯できる。
【００１６】
【発明の実施の形態】
以下、本発明に係る釣り用座布団の一実施形態について、図１乃至図３を参酌しつつ、臀部を載せるクッション性の座部１と、該座部１の後端部に上方に向けて設けられた背もたれ部２とを備えた釣り用座布団について説明する。
【００１７】
図１のように、座部１は、平面視略矩形で上下二段構成であり、地面に当接する部位である支持ベース部３と、該支持ベース部３の上方に支持されてその上面が座面４ａとなるクッション部４とを備える。
【００１８】
前記背もたれ部２は、支持ベース部３の後端部にヒンジ連結されて支持ベース部３側、即ち前方側に折り畳み可能に構成されている。また、支持ベース部３の前端部には幅方向略全長に亘って略均一高さの鍔部５が突設されている。このように、支持ベース部３は断面視略Ｌ字状に形成されている。尚、該鍔部５は断面視略矩形でクッション性を有している。また、支持ベース部３の表面は、鍔部５を含めて防水性のカバーで被覆されている。
【００１９】
そして、該鍔部５にクッション部４がヒンジ連結されている。該クッション部４は、支持ベース部３と略同じ幅を有する平面視略矩形であり、略均一厚の略板状に形成されている。尚、クッション部４は、発泡樹脂等のクッション材が吸水性のカバーで被覆された構成である。
【００２０】
より具体的には、鍔部５の上面の前方側縁部にクッション部４の前面の下方側縁部がヒンジ連結されている。従って、クッション部４は鍔部５を支点として前後に回動可能である。
【００２１】
このように、クッション部４が略板状で且つ鍔部５によってその前方側が持ち上げられて傾斜状態に支持されているので、クッション部４の上面である座面４ａは後方側に向けて下方に傾斜すると共に、クッション部４の下方には、支持ベース部３との間に、後方側を頂部とする断面視略三角形状の中空部６が幅方向に貫通して形成される。
【００２２】
尚、支持ベース部３の前面の下方側縁部には、座部１に座った際に足を載せるための足支持部７がヒンジ連結されている。該足支持部７の表面も支持ベース部３と同様に防水性のカバーで被覆されている。また、足支持部７を支持ベース部３の下面側に折り畳んだ際にその状態を維持すべく、足支持部７の下面前方側と支持ベース部３の下面後方側とには相互に係着可能な面ファスナー８が取り付けられている。
【００２３】
一方、支持ベース部３の後端部に一体的に連結された背もたれ部２は、クッション性を有している。そして、図１及び図（イ）のように、後方側に最大限起こした状態において、後面が支持ベース部３の下面に対して略９０度の状態となるように設定されている。また、背もたれ部２は上方側に向けて厚肉になるように形成されている。従って、最大限起きた状態ではその前面は僅かに前方側に傾倒した状態となる。
【００２４】
更に、該背もたれ部２と支持ベース部３とには、各々図１に破線で示すように、略矩形の枠状の補強フレーム９が内蔵されている。両補強フレーム９，９は、背もたれ部２と支持ベース部３との境界部において相互に開閉するようにヒンジ連結されている。そして、図３（イ）に示す起立状態と同図（ロ）に示す折り畳み状態との間の略８０度の範囲を回動支軸１３を支点として開閉可能となっている。尚、補強フレーム９は、回動支軸１３で他方のそれと相互に回動可能に構成された連結部９ａと、該連結部９ａに挿着固定されたパイプ部９ｂとを備え、連結部９ａ同士が当接することで図３（イ）に示す起立状態が規制され、それ以上の後方への倒れが止められる。
【００２５】
尚、背もたれ部２と支持ベース部３とは一つのカバーで一体的に覆われている。該カバーは、支持ベース部３をカバーする防水性の部位と、背もたれ部２をカバーする吸水性の部位とから構成される。
【００２６】
尚、背もたれ部２の後面には、上方に開口部を有するネット状のポケット部１０が設けられている。また、支持ベース部３の後面には把手１１が取り付けられている。
【００２７】
更に、上述したように、背もたれ部２が起立状態から前方側に向けて折り畳み可能であると共に、クッション部４も支持ベース部３の鍔部５にヒンジ連結されて前後に回動可能であり、図２（ロ）に示すように、背もたれ部２はクッション部４と支持ベース部３との間に格納される構成となっている。また、鍔部５の突設高さと背もたれ部２の上端部の厚さとが略等しくなっており、背もたれ部２を支持ベース部３と重ね合わせると、鍔部５の上面と背もたれ部２の後面とが略面一となり、その上方に更にクッション部４を重ね合わせることができる。尚、クッション部４と背もたれ部２との重なり状態は、クッション部４の下面後方側と背もたれ部２の後面下方側とに各々取り付けられた面ファスナー１２が相互に係着することで維持される。
【００２８】
以上のように構成された本実施形態の釣り用座布団は以下のような利点を有している。
まず、図１、図２（イ）及び図３（イ）のような状態では、座部１に臀部を載せて足を足支持部７に載せて座ることができるが、背もたれ部２にもたれかかって楽な姿勢で釣りを行える。特に、魚のあたりを待っている間のような時に有効であり、その間の疲れの蓄積を抑制することができる。しかも、待っている間は後方側に重心をかけることができ、水面のある前方への不用意な倒れ込みや不安定等を抑制でき、集中して釣りを行うことができる。
【００２９】
また、背もたれ部２の前面が前方側に僅かに傾倒しているので、姿勢が過度に悪化せず良好な姿勢を保ちやすいうえに、上方側が厚肉であるので肩等のクッション性も確保される。
【００３０】
一方、座面４ａが後方側に向けて下方に傾斜しているので、背もたれ部２へもたれやすく、背もたれ部２前面の傾倒とも相まって、背もたれ部２とクッション部４とで挟まれるようになって座った姿勢が安定化し、姿勢の不安定からくる疲労が抑制される。また、座面４ａが傾斜しているので過度の前傾姿勢が抑制され、臀部が前方側に滑るなどして不用意な水面への落下も抑制される。
【００３１】
また、支持ベース部３は地面に直接触れることとなるが、支持ベース部３を覆うカバーは防水性であるので、臀部の濡れを防止でき、特に、鍔部５を設けてクッション部４の前方側を持ち上げているので、濡れていることの多い前方側の地面とクッション部４の前端部との接触を防止できる。従って、クッション部４の表面に吸水性のカバーを使用でき、汗の吸収が容易となって臀部の蒸れを抑制できる。
【００３２】
更に、支持ベース部３は地面に当接するものの、クッション部４との間に中空部６が設けられているので、地面からの冷えが中空部６で遮断されて冬場の臀部の冷えが抑制される。その一方、中空部６は幅方向に貫通しているので、通気性もよく、クッション部４表面が吸水性のカバーであることとも相まって夏場は快適である。
【００３３】
しかも、中空部６を設けることで、クッション部４が薄肉であってもクッション性が高く、臀部が安定化する。
【００３４】
このように、座部１や背もたれ部２がクッション性を有する一方で、支持ベース部３と背もたれ部２とには相互にヒンジ連結された枠状の補強フレーム９が内蔵され、しかも、図３（イ）のように、補強フレーム９の連結部９ａで背もたれ部２の起立状態が確実に規制されるので、背もたれ部２等の形状も安定化する。
【００３５】
一方、釣り場を変更する際や釣りが終わった時には、図２（イ）の状態から、クッション部４を前方側に引き起こして背もたれ部２を前方側に折り畳み、クッション部４と支持ベース部３との間に背もたれ部２を格納することができる。そして、足支持部７を後方側に回動して支持ベース部３の下面に重合させて図２（ロ）のようにコンパクトに折り畳むことができ、把手１１を持って鞄の如く携帯することができる。
【００３６】
このように、背もたれ部２を備えていても折り畳み可能であるうえに座部１の中空部６を利用して格納されるのでコンパクトにできるのである。しかも、座部１も中空部６を利用して十分なクッション性が確保され、クッション部４を薄型化できて軽量化を図ることが容易となる。
【００３７】
尚、背もたれ部２を図３（イ）に示すような略垂直な起立状態から更に後方側へ傾倒するリクライニングタイプのものとしてもよい。
【００３８】
【発明の効果】
以上のように、クッション性の座部の後端部に背もたれ部を設けたことにより、楽な姿勢で釣りを行うことができるので長時間同じ姿勢で座って釣りをしても疲れにくくなる。
【図面の簡単な説明】
【図１】本発明の一実施形態における釣り用座布団を示す斜視図。
【図２】（イ）、（ロ）は同釣り用座布団の使用状態を示す説明図。
【図３】（イ）、（ロ）は同釣り用座布団の要部概略図。
【符号の説明】
１…座部、２…背もたれ部、３…支持ベース部、４…クッション部、４ａ…座面、５…鍔部、６…中空部、７…足支持部、８、１２…面ファスナー、９…補強フレーム、１０…ポケット部、１１…把手、１３…回動支軸
【図１】
0004297588.tif 000002
【図２】
0004297588.tif 000003
【図３】
0004297588.tif 000004